(57)【特許請求の範囲】
【請求項１】
ヘヤードライヤであって、
本体と、
前記本体に接続されたハンドルと、
を含み、
前記本体は、管状内側壁と、前記内側壁の周りに延びる外側壁と、該内側壁と該外側壁の間で流体入口からヘヤードライヤの中に延びる流体流路と、前記流体入口を覆うフィルタと、前記内側壁と前記外側壁の間に位置付けられた加熱器と、を含み、前記加熱器は、環状である、
ことを特徴とするヘヤードライヤ。
【請求項２】
前記本体は、入口端を有し、該入口端は、前記流体入口を含むことを特徴とする請求項１に記載のヘヤードライヤ。
【請求項３】
前記フィルタは、前記本体の前記入口端に設けられていることを特徴とする請求項２に記載のヘヤードライヤ。
【請求項４】
前記本体は、出口端を含み、前記出口端は、流体出口を含むことを特徴とする請求項１から請求項３のいずれか１項に記載のヘヤードライヤ。
【請求項５】
前記本体は、別の流体流路を含むことを特徴とする請求項１から請求項４のいずれか１項に記載のヘヤードライヤ。
【請求項６】
前記別の流体流路には、フィルタが設けられていないことを特徴とする請求項１から請求項５のいずれか１項に前記載のヘヤードライヤ。
【請求項７】
ヘヤードライヤであって、
本体と、
前記本体に接続されたハンドルと、
を含み、
前記本体は、管状内側壁と、該内側壁の周りに延びる外側壁と、該内側壁と該外側壁の間で流体入口からヘヤードライヤの中に延びる流体流路と、ファン及びモーターを含むファンユニットと、を含み、
前記ファンが、前記内側壁と前記外側壁の間に位置付けられ、前記モーターが、前記ハンドル内に位置付けられる、
ことを特徴とするヘヤードライヤ。
【請求項８】
前記内側壁は、管状であることを特徴とする請求項１から請求項７のいずれか１項に前記載のヘヤードライヤ。
【発明の詳細な説明】
【技術分野】
【０００１】
本発明は、送風機、特にヘヤードライヤのような温風送風機に関する。
【背景技術】
【０００２】
送風機、特に温風送風機は、塗料又は毛髪のような物質を乾燥させ、かつ表層を清掃又ははぎ取るような様々な用途に使用される。一般的に、流体を本体内へ引き込むモーター及びファンが設けられ、流体を、本体から出る前に加熱することができる。
【発明の概要】
【課題を解決するための手段】
【０００３】
本発明は、本体と本体に接続されたハンドルとを含むヘヤードライヤを提供し、本体は、管状内側壁と、内側壁の周りに延びる外側壁と、内側壁と外側壁の間で流体入口からヘヤードライヤの中に延びる流体流路とを含む。
【０００４】
好ましくは、外側壁は、本体の軸線方向長さを定め、流体流路は、本体の軸線方向長さに沿って延びる。
【０００５】
好ましくは、本体は、入口及び出口端を含み、入口端は、好ましくは、ヘヤードライヤ内への流体入口を含む。出口端は、好ましくは、ヘヤードライヤからの流体出口を含む。従って、流体は、ヘヤードライヤの入口端から内側壁と外側壁の間に位置付けられた流体流路に沿って流体出口へ流れる。
【０００６】
好ましくは、本体の内側壁によって形成される空間は、本体を通る視線を与える。従って、内側壁内又はそれに対して内部の空間は、ヘヤードライヤを通る視線を与える。
【０００７】
障壁が設けられ、障壁は、少なくとも部分的に内側壁を横切って延びることが好ましい。好ましくは、障壁は、内側壁の一端に位置付けられる。障壁は透明な材料から形成することが好ましい。好ましくは、障壁はフィルタである。
【０００８】
内側壁と外側壁の間にファンユニットを位置付けることが好ましい。
【０００９】
好ましくは、ファンユニットは、内側壁に装着された軸受によって支持される。
【００１０】
障壁は、ファンユニットにそれと共に回転するように接続されることが好ましい。
【００１１】
好ましくは、内側壁と外側壁の間にファンユニットを作動するためのモーターが位置付けられる。
【００１２】
ヘヤードライヤは、内側壁と外側壁の間に位置付けられた加熱器を含むことが好ましい。好ましくは、加熱器の形状は環状である。
【００１３】
障壁は、内側壁の一端を閉鎖することが好ましい。これに代えて、障壁は、内側壁の一端を部分的に閉鎖する。障壁は、中心開口を含むことが好ましい。
【００１４】
好ましくは、流体は、流体流路から放出される流体によって開口を通って引き込まれる。
【００１５】
好ましくは、内側壁は、管状であり、かつ本体内に空間を形成する。一実施形態において、内側壁の一端は、閉鎖されるか又は密封される。別の実施形態において、流体は、内側壁内に形成された空間を通って流れることができる。流体は、本体の上流又は入口端から本体の出口端の下流へ流れる。
【００１６】
本体の内側壁によって形成される空間は、電気器具の本体を通る視線を与えることが好ましい。内側壁の一端が密封される場合に、シールは、透明又は半透明である。シールは、電気器具の遠位端を通して可視である何に対しても拡大効果を与えることができる。
【００１７】
好ましくは、ヘヤードライヤは、流体流路内の流体を処理するための処理器を含む。処理器は、ファンアセンブリ及び／又は加熱器を含むことが好ましい。
【００１８】
ファンアセンブリは、モーターとモーターによって駆動されるファンとを含む。好ましくは、ファンは、流体流路に設けられる。モーターは、流体流路に又はヘヤードライヤのハンドル又はダクトに設けることができる。
【００１９】
モーター及び従ってヘヤードライヤの重量に寄与するものをファン及び恐らくは加熱器から離して設けたことは、ヘヤードライヤが重量に関して釣り合ってユーザにとってより快い体験を与えることができることを意味する。
【００２０】
好ましくは、シールは、本体の入口端にある。これは、それが、加熱器が電気器具に使用される事象において熱くなることになる内側壁の内面へのアクセスを防止するので有利である。
【００２１】
内側壁への少なくとも１つの開放端を有することは、これが、電気器具のための便利な格納の方法を与えるので有利である。内側壁の開口によって形成される孔は、例えば、フック又はくぎ上に引っ掛けることができる。
【００２２】
内側壁及び外側壁の形状は、好ましくは実質的に円形であり、これに代えて、それらは、長円形、矩形。又は正方形である。実際、各壁は、異なる形状又は構成とすることができる。
【００２３】
本発明の第２の態様は、本体と本体に接続されたハンドルとを含む手持ち式電気器具を提供し、本体は、管状内側壁と、内側壁の周りに延びる外側壁と、内側壁と外側壁の間で流体入口からヘヤードライヤの中に延びる流体流路とを含む。
【００２４】
ここで、添付図面を参照して本発明を単に一例として以下に説明する。
【図面の簡単な説明】
【００２５】
【図１】本発明による１ハンドル式電気器具の後端斜視図である。
【図２】図１の電気器具の側面図である。
【図３】別の電気器具の断面図である。
【図４】図３の電気器具の後端斜視図である。
【図５】２の２ハンドル式電気器具の断面図である。
【図６】１ハンドル式電気器具の断面図である。
【図７】図２の線Ｓ−Ｓを横切る断面図である。
【図８】図４の電気器具の断面図である。
【図９】本発明による第２の電気器具の側面図である。
【図１０】図９の線Ｎ−Ｎに沿う断面図である。
【図１１】本発明による更に別の電気器具の後端斜視図である。
【図１２】図１１の線Ｌ−Ｌに沿う断面図である。
【発明を実施するための形態】
【００２６】
図１及び図２は、第１の電気器具１０を示し、電気器具は、流体入口端１２ａ及び流体出口端１２ｂを有する本体１２と、本体１２に対して実質的に垂直に配置されたダクト又はハンドル１４とを有する。
【００２７】
本体１２は、外側壁１１２及び内側壁１８を有する。内側壁１８は、本体１２の中心にある空間又は領域２０を含む。内側壁１８と外側壁１１２の間の環状領域３０は、電気器具１０を通る主流体流路を形成している。管状ハウジング１８は、一般的に広いというよりも長くて好ましくは実質的に円形の断面を有するダクト、パイプ、又は導管であるが、断面は、長円形、正方形、矩形、又は別の形状とすることができる。
【００２８】
ここで図３及び図４を参照すると、環状領域３０の内部には、加熱器４６とファンアセンブリ５０、６０とが位置付けられる。ファン５０は、円形軸受５６上に装着され、かつモーター６０によって駆動される。モーター６０からの動力は、磁気結合、歯車、又はベルト機構５４を通してファンに与えられる。モーター６０への電力は、標準プラグがその遠位端（図示しない）に取り付けられた電気ケーブル６２を用いて与えられる。この例では、ケーブル６２は、ハンドル１４の底部で電気器具に入るが、入る個所は、使用中にケーブルに過度の引張りを加えないと考えられるどこでも可能である。
【００２９】
軸受５６は、円形である必要はなく、かつ不連続の軸受面とすることができる。
【００３０】
モーターは、このタイプの従来の電気器具ではよくあるようにファンと同心ではないので、それは、電気器具の取り扱いに有利な場所に位置付けることができる。従って、モーターは、電気器具の重量を釣り合わせるように位置決めすることができ、その理由は、モーターは、ファンに直接に取り付けられず、かつそこから及び同じく電気器具の別の重量源である加熱器からも離すことができるからであり、すなわち、モーターは、流体流路２０内に収容することができ、又はその代わりにモーターは、ダクト又はハンドル１４内に位置付けられる。
【００３１】
この例では、ファン５０は、内側壁１８への入口を密封するハブ５２を有し、従って、内側壁２０によって形成される空間２０は、それを通るいかなる有意な流体流れも持たない。
【００３２】
ファンブレードは、それが電気器具の本体の中心ではなく管状ハウジング１８の周りに装着されるので、減少した長さのものである。これは、ファン５０によって引き込むことができる流体の量の低減をもたらすが、仕事の大部分はファンブレードの外側部分によって行われるので、この低減は有意ではない。ファンブレードの長さをこのように短くすれば、電気器具の重量が軽くなる利点がある。
【００３３】
ハブ５２は、好ましくは透明であり、かつポリカーボネートのような耐久性プラスチック材料から作られる。ハブ５２は、本体の他方の端部１２ｂで視線に入る物体に対して拡大効果を与える形状にすることができる。
【００３４】
電気器具の電源がオンにされた時に、モーター６０は、ファン５０に動力を与え、これは、主流体流路３０内へ流体を引き込む。加熱器４６が作動される場合に、引き込まれた流体は、本体を出る前に流出端１２ｂで加熱される。
【００３５】
ここで図５、図６、及び図７を参照すると、主流体流路１３０内にファン１５０が設けられる。流体は、ファン１５０の作用によって入口端１１２ａで本体１１２内へ引き込まれる。その後に、流体は、本体１１２の流体出口端１１２ｂから出る前に本体に沿って加熱器４６へ真っ直ぐに流れる。図５は、２つのハンドル１１４及び１１４ｂを有する電気器具を示し、その一方、図６及び図７は、１つのハンドル１１４のみを有する。
【００３６】
主流体流路１３０内には、ハブなしファン１５０が設けられる。流体は、ハブなしファン１５０の作用によって入口端１１２ａで本体１１２内へ引き込まれる。その後に、流体は、本体１１２の流体出口端１１２ｂから出る前に本体に沿って加熱器４６へ真っ直ぐに流れる。流体は、中心流体流路１２０を通って同伴され、かつ加熱された流体１３０ｂと流出部１１２ｂで混合する。
【００３７】
ハブなしファン１５０は、円形軸受１６６上に装着され、かつこの実施形態では主流体流路１３０に収容されるが、その代わりにダクト１１４内に位置付けることができると考えられるモーター４６によって駆動される。モーター４６からの動力は、例えば、磁気結合、又は歯車、又はベルト機構１６４を通してファンに与えられる。流体入口端１１２ａには、ファン及びモーターを毛髪及び埃の進入から保護するためにフィルタ１６０を設けることができる。
【００３８】
この実施形態において、第１又は中心の流体流れを通る視線があり、ファンは、透明な形態で設けることができると考えられる。
【００３９】
ここで図８を参照すると、主流体流路２３０内にはファン２５０が設けられる。流体は、ファン２５０の作用によって入口端２１２ａで本体２１２内へ引き込まれる。その後に、流体は、本体２１２の流体出口端２１２ｂから出る前に本体に沿って加熱器４６へ真っ直ぐに流れる。この実施形態において、ファン２５０は、管状ハウジング１１８の上に適合するハブ２７０を有する。ハブ２７０は、流体経路２２０を流れる流体が通過することができる中心開口２８０を有する。すなわち、この実施形態において、モーターの電源がオンにされた時に、ファンは、空気を主流体流路２３０内へ引き込み、流体は、流体流路２２０内へ同伴されるか又は誘導される。
【００４０】
ファン２５０は、円形軸受５６上に装着され、かつこの実施形態では主流体流路２３０に収容されるが、その代わりにダクト１４内に位置付けることができると考えられるモーター４６によって駆動される。従って、モーターは、このタイプの従来の電気器具ではよくあるようにファンと同心ではないので、それは、電気器具の取り扱いに有利な場所に位置付けることができる。従って、モーターは、電気器具の重量を釣り合わせるように位置決めすることができ、その理由は、モーターは、ファンに直接に取り付けられておらず、かつそこから及び電気器具の別の重量源である加熱器からも離すことができるからである。
【００４１】
モーター４６からの動力は、磁気結合、歯車、又はベルト機構６４を通してファンに与えられる。流体入口端２１２ａにはフィルタが設けられ、ファン及びモーターを毛髪及び埃の進入から保護することができる。
【００４２】
図９及び図１０に関連して第２の実施形態を説明する。この実施形態において、電気器具３００は、断面が長円形のダクト３１４を有する。円形のダクトの代わりに長円形のダクトを使用することには利点があり、第１に、長円形状は、円形グリップよりも曲がった指が作る形状により正確に似ているので、ダクトをハンドルとして用いる時にユーザが長円形状を把持し易くなり、第２に、長円形状を用いてダクト又はハンドルに方向性を付与することができる。この特徴は、第１のダクト／ハンドル３１４ａが第２のダクト／ハンドル３１４ｂに対して直角に向けられた図１１に示されている。この方向性は、電気器具をより使用し易くすることができる。
【００４３】
第３の利点は、把持可能なハンドルに対して、長円形状は、円形ハンドルよりも断面積が広くなることであり、これは、長円形ハンドルを通過することができる流体の流量がより多くなることを意味する。これは、作動時に電気器具によって生成されるノイズ、電気器具が消費する電力、及び電気器具内の圧力損失又はダクト損失のうちの１つ又はそれよりも多くを低減することができる。
【００４４】
図１１は、主流体流路４３０を覆って中心流体流路２０の全てではない場合は大部分を開いて濾過しないままにするグリル状フィルタであるフィルタ４５０を有する電気器具４００を示している。フィルタ４５０は、これに加えて、フィルタの各グリル間に配置されたメッシュ材料を含むことができる。
【００４５】
ここで図１２を参照すると、この実施形態において、ダクト１４は、断面がほぼ円形であり、かつ好ましくは材料１４０で裏打ちされる。この材料１４０は、第２の流体流れからのノイズ、ファンアセンブリからの振動を軽減するため、又は電気器具の流体流れシステム内で熱を保つ絶縁体としてのうちの１つ又はそれよりも多くのために使用される例えば発泡体又はフェルトである。
【００４６】
裏打ち材料１４０は、好ましくは、裏打ちの上流端１４０ａ及び下流端１４０ｂの一方又は両方でフレア状に広がり、丸められ、又は面取りされる。これは、裏打ちした部分に入る／から出る乱流流れが少なくなるので、ダクト内の圧力損失を低減し、かつ発生したノイズを低減するのを助けることができる。
【００４７】
説明した全ての実施形態に対して、電気器具の一端又は他端での内側開口部は、便利な格納又は必要な時の取り出しのために、フック又はくぎのような保持器上に内側開口部を引っ掛けることにより、例えば、電気器具を格納するのに使用することができる。
【００４８】
図３及び図４に関連して説明した実施形態に対して、内側壁１８は密封されるので、本体の入口端１２ｂではこの面へのアクセスがなく、図５から図８に関連して説明した実施形態に対しては、内側壁１１８は密封されておらず、従って、この壁には、本体の外側からアクセスすることができ、かつ従って外部壁である。内部面と外部面に対しては、例えば、最高許容温度に関連する遵守規則が異なる。この理由により、内側壁１８の温度は、外部壁１１８の温度よりも熱くすることができ、これは、加熱器を内側壁１１８により近く位置付けることができるので、より小型の電気器具を作ることを可能にする。
【００４９】
説明した全ての実施形態に対して、本体は、ほぼ管状であり、かつ軸線方向に沿って延びる長さを有する。内側壁と外側壁の間の環状領域３０、１３０、２３０、４３０内へ引き込まれる主流体流路は、本体に沿って入口から出口まで軸線方向に延びる。主流体流路は、流体がヘヤードライヤに入るヘヤードライヤ入口から本体に沿って延びる。代わりに、主流体流路は、内側壁が外側壁内に引っ込んでいる場合に、例えば、内側壁の上流端から延びる。
【００５０】
本発明をヘヤードライヤに関連して詳しく説明したが、それは、流体を引き込み、かつ電気器具からのその流体の流出を誘導するあらゆる電気器具に適用可能である。
【００５１】
電気器具は、加熱器の有無に関わらず使用することができ、高速の流体の流出の作用は、乾燥効果を有する。
【００５２】
電気器具を通って流れる流体は、一般的に空気であるが、１つ又は複数の気体の異なる組合せとすることができ、かつ電気器具の性能と、その出力が例えば毛髪及びその毛髪の整髪に向けられる物体に対して電気器具が有する影響とを改善する添加剤を含むことができる。
【００５３】
本発明は、上述の詳しい説明に限定されない。当業者には変形が明らかであろう。
【符号の説明】
【００５４】
１０  電気器具
１２  本体
１４  ハンドル又はダクト
２０  流体流路
３０  主流体流路
【図１】
0006309066.tif 000002
【図２】
0006309066.tif 000003
【図３】
0006309066.tif 000004
【図４】
0006309066.tif 000005
【図５】
0006309066.tif 000006
【図６】
0006309066.tif 000007
【図７】
0006309066.tif 000008
【図８】
0006309066.tif 000009
【図９】
0006309066.tif 000010
【図１０】
0006309066.tif 000011
【図１１】
0006309066.tif 000012
【図１２】
0006309066.tif 000013